(57)【要約】      （修正有）【課題】除去の手間を必要としないで好ましい地面被覆を果たす地面被覆剤を提供する。【解決手段】藺草を天然糸で編んで地面を覆う織物にしたことを特徴とする地面被覆材。【選択図】図１
2006223120.tif 000002
【特許請求の範囲】
【請求項１】
藺草を天然糸で編んで地面を覆う織物にしたことを特徴とする地面被覆材。
【請求項２】
天然糸が綿糸又は麻糸である請求項１の地面被覆材。
【請求項３】
織物が両端に耳又はヘムが形成された所定幅のものであり、耳又はヘムの部分で折曲可能に接合されている請求項１又は２の地面被覆材。
【請求項４】
織物に密度の薄い個所が適宜形成されている請求項１〜３いずれかの地面被覆材。
【請求項５】
請求項１〜４いずれかの地面被覆材の置敷方法であり、置敷く地面が雑草の生育を抑制しようとする個所、水の滲出を排除しようとする個所、圃場の畝及び／又は畦のいずれかである地面被覆材の置敷方法。
【発明の詳細な説明】
【技術分野】
【０００１】
本発明は、藺草を原料とした地面被覆材及びこの地面被覆材の置敷方法に関するものである。
【背景技術】
【０００２】
ハウスや露地栽培における畝や畦、或いは果樹園の樹間等では、地面に雑草が生えるのを抑制したり、水が滲み出て滑ったり、或いはこの水を跳ねて履物や衣服を汚したりするのを防止するために、当該地面に何らかの敷物を敷くことがある。この敷物として、従来は、通気性のないビニールシートが多く使用されているが、これを地面に敷くと、地上と地下との空気の移動を完全に遮断して栽培作物の根の呼吸を止めてしまうこと、不要或いは老朽化した場合の除去に手間がかかること、さらに、廃棄のための焼却に環境問題が生ずる、といった問題がある。
【０００３】
そのため、下記特許文献１では、被覆材として紙を用いたものが示されているが、紙は、自然に腐朽するから、除去等は必要ないものの、強度的に弱いから、この上を人が歩いたりすると破れてしまう。また、紙であっても、空気の遮断性はあることから、根にとっては好ましくない。
【特許文献１】特開２００４−１１３１７８号公報
【発明の開示】
【発明が解決しようとする課題】
【０００４】
本発明は、すべて天然素材からなる織物を地面被覆材とすることで、除去の手間が省けるとともに、堆肥にもなるという二重の効果が得られるようにしたものである。
【課題を解決するための手段】
【０００５】
以上の課題の下、本発明は、請求項１に記載した、藺草を天然糸で編んで地面を覆う織物にしたことを特徴とする地面被覆材を提供するとともに、この地面被覆材の置敷個所として、請求項５に記載した、置敷く地面が雑草の生育を抑制しようとする個所、水の滲出を排除しようとする個所、圃場の畝及び／又は畦のいずれかである地面被覆材の置敷方法を提供したものである。
【発明の効果】
【０００６】
請求項１の手段によると、地面に敷かれる織物は、藺草と天然糸であるから、自然に朽ちて土に帰り、片付けの手間が不要であるとともに、堆肥にもなる。また、請求項５の、この織物を雑草の生育を抑制しようとする個所に敷けば、その下の雑草の生育を物理的及び機械的に抑制する。したがって、雑草が繁茂するまでには至らず、除草剤等の散布は必要ない。さらに、水の滲出を排除しようとする個所に敷けば、この織物が水を吸収してくれる。この他、圃場の畝に敷けばマルチング材になるし、畝に敷けば歩行が楽になる。
【発明を実施するための最良の形態】
【０００７】
以下、本発明の実施の形態を図面を参照して説明する。本発明に係る地面被覆材は、藺草を天然糸で編んだ織物１を基準にする。図１はこの織物１の一部平面図であるが、この織物１は、天然糸を経糸２にして藺草を緯条３に織機で織ったものである。なお、ここでいう天然糸とは、天然素材の糸であり、綿糸や麻糸といったものがある。ところで、藺草織物といえば、ござの幅等を規格としているが、本発明では、これよりもやや短い幅のものを標準のものにしておく。もちろん、種々の幅のものも用意しておく。加えて、この織物１は、長さを長いものにして（経糸２を長くする）用途に応えられるようにしておく（適当に切断して使用する）。織物１が長いものである場合、製造、流通、使用の段階ではロールに巻いた状態や折り畳んだ状態で供するようにして取扱いの便を考慮している。
【０００８】
そして、この織物１の両端（両縁）には耳（或いはヘム）４を形成しておく。この耳４とは、藺草の両先を折り返して糸で編むことであり、これによると、強度的に強く、経糸２がほつれたりしない。このように、端に耳４を形成しておけば、この耳４を接合してその両方をジグザグ縫いすることで、この部分を折曲可能に接合できるから、畦と畝の側面といったように、角度が違う面にも沿わせて敷くことができる。なお、ここで使用する糸は、上記と同様、すべて天然糸であることはいうまでもない。
【０００９】
以上の織物１は、その特性を利用して種々の場所に敷く。図２は畝と畦を形成した圃場の斜視図であるが、ハウス内又は露地において、通常、畝５と畦６を形成し、畝５に作物７を植生するが、この間、管理や収穫、或いは施肥や除草等のために人は畦６を歩く。この畦６には、畝５に遣った水が滲み出て来たりするから、そのままにしておくと、滑ったり、跳ねて履物や衣服を汚したり、足が冷えたりする。したがって、畦６には、適当な吸湿材を敷くのが適する。
【００１０】
そこで、本発明の織物１を敷くのであるが、この織物１は、緯条３が適当な隙間を有する目になって適度な通気性を有するから、これを敷いた地面の下の植物の根の呼吸を完全に止めるまでには至らず、最適なものといえる。一方で、不十分な通気性と太陽光の遮断は、雑草等の育成を抑制することになるし、地面に対しての密着しての被覆も、雑草等の育成を物理的及び機械的に抑制することになる。この点で、有害な除草剤の散布をなくすことができる。この他、朽ちて来ると、自然に土に帰るし、そのとき、有機物であるから、肥料にもなる。この点で、この織物１は、雑草抑制や防滑目的の敷物としては最適ということになる。
【００１１】
ところで、作物７の種子や苗を植える畝５の上面にも、発芽や生育を促進するとともに、霜害を防いだり、雑草抑制を図るためにマルチング材を敷くが、この織物１は、このマルチング材にも適用できる。図３は畝５と畦６の両方にこの織物１を敷いた斜視図であるが、このように、畝５と畦６の全面（畝５の側面５ａにも）にこの織物１を敷いて全面的に被覆することもある。この場合、角度が違う境界面には、前記した折曲ラインを合わせて対応できるようにしておく。なお、畝５の上面にある織物１から作物７が出てくる個所には、緯条４の密度を薄くしておけば、播種や移植も容易であるし、発芽もし易い。
【００１２】
雑草抑制や防滑目的で織物１を敷くのは、畝５や畦６に限らない。図４は果樹園の樹間の地面に織物１を敷いた斜視図であるが、ぶどう等のように樹木間に形成された棚８の下や通路９にこの織物１を敷くことがある。また、りんごやかきといった果樹でも、その樹木間に織物１を敷くことがある。特に、観光果樹園等では、観光客は、地面が濡れていたり、草が生えたりしているのを嫌うから、この織物１は、恰好の敷物となる。
【図面の簡単な説明】
【００１３】
【図１】織物をロールに巻いた状態の斜視図である。
【図２】畦に織物を敷いた斜視図である。
【図３】畝と畦にかけて織物を敷いた斜視図である。
【図４】果樹円の通路と棚下に織物を敷いた斜視図である。
【符号の説明】
【００１４】
１    織物
２    経糸
３    緯条
４    耳（ヘム）
５    畝
５ａ  畝の側面
６    畦
７    作物
８    果樹園の棚
９    果樹園の通路
【図１】
2006223120.tif 000003
【図２】
2006223120.tif 000004
【図３】
2006223120.tif 000005
【図４】
2006223120.tif 000006